(57)【特許請求の範囲】
【請求項１】
着用者の顔面の対象部位を覆うマスク本体部と、このマスク本体部を前記着用者の耳に係止するための左右一対の耳掛け部と、前記着用者の鼻腔を拡張する鼻腔拡張部とを備えるマスクであって、
前記鼻腔拡張部は、
平板状の弾性部材と、
前記マスク本体部を形成するシート材を介して前記弾性部材と対向する位置に設けられ、着用者の鼻の鼻梁を挟んだ両側部分へ貼着する二つの貼着部と、
各粘着部と前記弾性部材との間に介挿され、前記粘着部の平面全体に密着可能な大きさに形成された柔軟性を有する二つの軟性部材と、
を有することを特徴とするマスク。
【請求項２】
前記鼻腔拡張部は、前記マスク本体部の上縁部に設けられていることを特徴とする請求項１記載のマスク。
【請求項３】
前記鼻腔拡張部は、前記貼着部の貼着面を被覆する剥離紙を有することを特徴とする請求項１又は２記載のマスク。
【請求項４】
前記鼻腔拡張部又は前記マスク本体部に、冷感作用を有する冷感剤を配置したことを特徴とする請求項１から３のいずれか一項に記載のマスク。
【請求項５】
前記鼻腔拡張部又は前記マスク本体部に、温感作用を有する温感剤を配置したことを特徴とする請求項１から３のいずれか一項に記載のマスク。
【請求項６】
前記鼻腔拡張部又は前記マスク本体部に、芳香作用を有する芳香剤を配置したことを特徴とする請求項１から５のいずれか一項に記載のマスク。
【発明の詳細な説明】
【技術分野】
【０００１】
本発明は、着用者の顔面の鼻や口等を覆うマスクに関する。
【背景技術】
【０００２】
疾病時や花粉、黄砂等の粉塵飛来時、その他の日常生活において使用されるマスクは、異物を遮断する効果を高めるために、マスクと鼻梁両側との隙間を塞いで外部に対する密閉性を高めている。
しかし、密閉性が高まると呼吸のための通気性が低減するため、口呼吸の比率が増加し、マスクの内側には水分を多く含んだ呼気が溜まり、マスクから水分を多く含んだ呼気が漏れ出すことになる。その結果、マスクと共に眼鏡やゴーグルを着用している場合に、眼鏡やゴーグルに水分による曇りが発生し、視界を遮る原因となる。
そこで、従来のマスクでは、口を覆うマスク本体の内面側に、鼻の表皮に粘着する粘着剤層を有する可撓性シート片を固着すると共に、当該可撓性シート片の復元力により鼻の表皮を外側に引っ張ることで鼻腔を広げて、鼻呼吸を楽に行えるようにしていた（例えば、特許文献１参照）。そして、これにより、口呼吸の頻度を減らし、呼気の水分による眼鏡等の曇りを低減していた。
【先行技術文献】
【特許文献】
【０００３】
【特許文献１】実用新案登録第３１２６４６９号公報
【発明の概要】
【発明が解決しようとする課題】
【０００４】
しかしながら、上記特許文献１のマスクは、可撓性シートがマスク本体の内側面に取り付けられていることから、可撓性シートが粘着剤を介して直接的にマスク着用者の皮膚に接触していた。可撓性シートは、可撓性を有することが必須であることから、その形成材料はプラスチックや金属等の硬質材料からなる弾性体が使用される。このような硬質材量からなる可撓性シートが直接的にマスク着用者の皮膚に触れると、異物感があり、さらには、着用者が痛みを感じるおそれがあった。
また、可撓性シートの伸縮は殆ど期待できないことから、硬質材料からなる可撓性シートが直接的に皮膚に貼着されると、表情の変化等の顔の筋肉の動きに追従できず、皮膚が引っ張られ、不快感を感じるおそれがあった。
【０００５】
本発明は、鼻呼吸を良好に行うことができ且つ装着感の良好なマスクを提供することをその目的とする。
【課題を解決するための手段】
【０００６】
請求項１記載の発明は、
着用者の顔面の対象部位を覆うマスク本体部と、このマスク本体部を前記着用者の耳に係止するための左右一対の耳掛け部と、前記着用者の鼻腔を拡張する鼻腔拡張部とを備えるマスクであって、
前記鼻腔拡張部は、
平板状の弾性部材と、
前記マスク本体部を形成するシート材を介して前記弾性部材と対向する位置に設けられ、着用者の鼻の鼻梁を挟んだ両側部分へ貼着する二つの貼着部と、
各粘着部と前記弾性部材との間に介挿され、前記粘着部の平面全体に密着可能な大きさに形成された柔軟性を有する二つの軟性部材と、
を有することを特徴とする。
【０００７】
請求項２記載の発明は、請求項１記載のマスクにおいて、
前記鼻腔拡張部は、前記マスク本体部の上縁部に設けられていることを特徴とする。
【０００８】
請求項３記載の発明は、請求項１又は２記載のマスクにおいて、
前記鼻腔拡張部は、前記貼着部の貼着面を被覆する剥離紙を有することを特徴とする。
【００１０】
請求項４記載の発明は、請求項１から３のいずれか一項に記載のマスクにおいて、
前記鼻腔拡張部又は前記マスク本体部に、冷感作用を有する冷感剤を配置したことを特徴とする。
【００１１】
請求項５記載の発明は、請求項１から３のいずれか一項に記載のマスクにおいて、
前記鼻腔拡張部又は前記マスク本体部に、温感作用を有する温感剤を配置したことを特徴とする。
【００１２】
請求項６記載の発明は、請求項１から５のいずれか一項に記載のマスクにおいて、
前記鼻腔拡張部又は前記マスク本体部に、芳香作用を有する芳香剤を配置したことを特徴とする。
【発明の効果】
【００１３】
本発明のマスクは、鼻腔拡張部を備えているので、マスクの着用者は、鼻腔拡張部により、マスク本体部によって口及び鼻が覆われた状態でも鼻呼吸を容易に行うことが可能となり、口呼吸の比率を低減して、眼鏡やゴーグルの着用時でも、水分による曇りの発生を低減することが可能となる。
さらに、本発明のマスクは、マスク本体部を形成するシート材を介して弾性部材を着用者の鼻の鼻梁を挟んだ両側部分へ貼着するので、弾性部材が直接的に皮膚に接触する場合のような異物感を低減し、軟らかな感触で鼻腔拡張状態を維持することができ、マスクの装着感をより良好なものとすることが可能となる。
また、シート材を介して弾性部材を貼着するので、顔の筋肉の動きが拘束されず、不快感等の発生を十分に低減することが可能となった。
【図面の簡単な説明】
【００１４】
【図１】第一の実施形態のマスクを示す斜視図である。
【図２】マスク本体部のプリーツを広げない状態での鼻腔拡張部の側面図である。
【図３】マスク本体部のプリーツを広げない状態での鼻腔拡張部の平面図である。
【図４】マスク着用時の弾性部材の変形状態を示す鼻腔拡張部の平面図である。
【図５】図５（Ａ）〜図５（Ｃ）はいずれも第二の実施形態としての弾性部材の平面形状の変形例である。
【図６】第三の実施形態としての鼻腔拡張部を示す平面図である。
【図７】第四の実施形態としての鼻腔拡張部を示す平面図である。
【図８】第五の実施形態としての鼻腔拡張部を示す平面図である。
【図９】第六の実施形態としての鼻腔拡張部を示す平面図である。
【図１０】第七の実施形態としての鼻腔拡張部を示す断面図である。
【発明を実施するための形態】
【００１５】
以下に、本発明について、図面を用いて具体的な態様を説明する。ただし、発明の範囲は、図示例に限定されない。
【００１６】
［第一の実施形態］
図１は本発明を適用した発明の第一の実施形態のマスク１００を示す斜視図である。また、図２は着用状態のマスク１００を正面から見た正面図である。
なお、以下の説明では、顔面側を後側とし、その反対側を前側とする。さらに、マスク１００を装着した状態における上側を上部、下側を下部とし、着用者の左手側を左、右手側を右とする。
【００１７】
マスク１００は、例えば、使い捨てのプリーツ型のマスク１００であり、具体的には、図１及び図２に示すように、着用者の顔面の鼻や口や顎（対象部位）等を覆うマスク本体部１と、このマスク本体部１を着用者の耳に係止するための左右一対の耳掛け部２、２と、マスク本体部１の上縁部に設けられ、マスク１００の着用者の鼻腔を拡張する鼻腔拡張部３を備えている。
【００１８】
マスク本体部１は、例えば、正面視にて略矩形状に形成され、上下方向に広がることが可能なプリーツ１１が上下方向に複数形成されている。そして、マスク１００の着用時にはプリーツ１１が上下方向に広がることによりマスク本体部１が外側に膨出するように山型の立体的形状となって、着用者の顔面の鼻や口や顎等が覆われるようになっている。
【００１９】
また、マスク本体部１はシート材から形成されており、当該シート材は、例えば、スパンボンド不織布、メルトブロー不織布、スパンレース不織布、ガーゼ、タオル地等による一枚生地又は複数重ね合わせの生地から形成されている。
なお、マスク本体部１の製造方法は、公知のものであれば如何なるものであっても良く、詳細な説明は省略する。
【００２０】
また、マスク本体部１の左右方向の両縁部１２には、左右一対の耳掛け部２、２が設けられている。
左右一対の耳掛け部２、２の各々は、例えば、平紐であり、ゴム紐が縫い込まれて全体が伸縮性を有するものであっても良い。
左側の耳掛け部２の一端部はマスク本体部１の左縁部の上端に、他端部はマスク本体部１の左縁部の下端に縫い付け、接着又は溶着より固定されている。
また、右側の耳掛け部２の一端部はマスク本体部１の右縁部の上端に、他端部はマスク本体部１の右縁部の下端に縫い付け、接着又は溶着より固定されている。
【００２１】
［鼻腔拡張部］
図２はプリーツ１１を広げていない状態のマスク本体部１の上部に設けられた鼻腔拡張部３の側面図、図３は平面図である。
鼻腔拡張部３は、マスク本体部１の外側面の上縁部に固着された長尺平板状の弾性部材３１と、マスク本体部１の内側面の上縁部に固着された貼着部３２と、貼着部３２の着用者側の粘着面を被覆する剥離紙３３とを有している。
【００２２】
弾性部材３１は、図１〜図３に示すように、矩形のマスク本体部１の外側面の上縁部において左右方向に沿ってその中央部に設けられており、マスク着用時には、着用者の鼻の左右の鼻翼の幾分上方となる位置に重なるように配置されている。この弾性部材３１は、撓んだ状態からの復元力（弾性力）を利用して鼻腔の拡張を図るものである。
従って、弾性部材３１は、合成樹脂、例えば、ＰＰ（ポリプロピレン）、ＰＥ（ポリエチレン）、ＰＥＴ（ポリエチレンテレフタレート）、シリコン等の適度な弾性を備えた合成樹脂或いは防錆性の金属を材料とする。
【００２３】
上記弾性部材３１は、マスク本体部１との対向面が、当該マスク本体部１の外側面に対して、熱や超音波を用いた溶着或いは接着等によって固着されている。なお、弾性部材３１の取り付けは、当該弾性部材３１の弾性力によって剥離を生じない十分な強度で固定可能ないかなる方法を利用しても良い。また、十分な粘着力を有する両面テープを利用しても良い。
【００２４】
貼着部３２は短冊状であり、図２及び図３に示すように、二枚の貼着部３２が矩形のマスク本体部１の内側面の上縁部において左右方向に沿った状態でマスク本体部１の中央部を挟んで左右両側に設けられている。
これら貼着部３２，３２は、弾性部材３１と同一幅であって、弾性部材３１の半分に満たない長さであり、マスク本体部１を挟んで弾性部材３１の左端部と右端部とに対してそれぞれ同一の位置となるように設けられている。
これら貼着部３２，３２は、シートの両面に粘着剤が塗布されたいわゆる両面テープであり、マスク着用者の鼻の両鼻翼の幾分上方に貼着され、マスク本体部１を介して弾性部材３１を鼻の形状に沿うように撓ませた状態に維持することができる。
【００２５】
各貼着部３２，３２の粘着剤は、アレルギー性の低い感圧性アクリル酸接着剤であって臭いや揮発成分の有無等も考慮して人体に対する影響が十分に小さいものが使用される。感圧性であるため、化学反応による硬化等が生じにくく、長期間の粘着性を維持すると共に、貼着後も弾性部材３１の弾性料よりも大きな引っ張り力で鼻の表皮から剥離させることができる。また、アクリル酸系なので、皮脂が付着した表皮でも高い粘着性を維持することができる。
【００２６】
なお、マスク本体部１を複数重ね合わせの生地で形成しても良いことを前述したが、マスク本体部１における鼻腔拡張部３の形成箇所については、重ね合わせの生地同士が離れやすいと、弾性部材３１の弾性に基づく張力がマスク着用者の鼻の表皮に伝わりにくくなるので、部分的に一枚生地とするか、重ね合わせの生地同士を接着や溶着により離れにくくすることが望ましい。
【００２７】
なお、貼着部３２は、着用者の鼻側の面には上記の粘着剤を付するべきだが、マスク本体部１側の面は粘着剤ではなく、剥離不能な接着材を使用しても良い。即ち、貼着部３２はマスク本体部１に対して一度貼着したら剥離する必要がないので、接着で固着するか、熱や超音波で溶着しても良い。
また、貼着部３２は、両面テープではなく、テープと同一形状、同一の配置でマスク本体部１の内側面上に形成された上記粘着剤の層であっても良い。
また、貼着部３２は、弾性部材３１の弾性力に基づく張力を鼻の表皮に伝達できれば良いので、弾性部材３１の左端部又は右端部の平面全体を包含するより幾分大きな粘着面を有する構成としても良い。
また、貼着部３２は、弾性部材３１と同じサイズか弾性部材３１の平面全体より幾分大きな粘着面を有するものを一枚のみ使用しても良い。
【００２８】
各貼着部３２，３２の着用者の鼻側の面には、図２及び図３に示すように、それぞれ貼着部３２側の面にロウやワックスの層が形成された剥離紙３３，３３が貼られており、各貼着部３２，３２の貼着面が被覆されている。各剥離紙３３，３３は、それぞれ貼着部３２，３２の貼着面と同一形状、同一サイズであり、マスク１００の着用の際には、各剥離紙３３，３３は各貼着部３２，３２から剥離されて廃棄される。
【００２９】
［マスクの着用方法］
図４はマスク１００の着用中における鼻腔拡張部３の状態を示した平面図である。
図２及び図３に示すように、マスク１００は、鼻腔拡張部３の剥離紙３３，３３をそれぞれ貼着部３２，３２から剥離する。
そして、マスク本体部１の鼻腔拡張部３の形成位置を上として、弾性部材３１側の面を外側に、貼着部３２側の面を着用者の顔面側に向けて、左右の耳掛け部２，２をそれぞれ左右の耳に引っ掛ける。また、左右の耳掛け部２，２を引っ掛けた後には、マスク本体部１の各プリーツ１１を上下に引っ張り、マスク本体部１を前方に凸となる立体形状に変形させる。
【００３０】
その結果、露出した貼着部３２，３２の貼着面は、着用者の鼻の左右の鼻翼よりも幾分上となる位置で表皮に貼着される。これにより、図４のように、弾性部材３１は、鼻の鼻梁を挟んで左右両端部が後方に撓み、鼻の形状に倣って弾性変形した状態に保持される。
このとき、弾性部材３１は元の平板形状に戻ろうとする弾性力が発生し、鼻梁の左右両側の表皮に対して外側前方に張力を付与する。これにより、鼻腔内部ではその外壁が前方向に引っ張られて鼻腔の断面積が拡張される。
【００３１】
また、使用済みとなったマスク１００は、各耳掛け部２，２を耳から外し、各貼着部３２，３２を鼻の表皮から剥離させることで外すことができる。
【００３２】
［実施形態の技術的効果］
上記マスク１００は、着用者の顔面の対象部位を覆うマスク本体部１と、このマスク本体部１を着用者の耳に係止するための左右一対の耳掛け部２，２と、着用者の鼻腔を拡張する鼻腔拡張部３とを備えている。
このため、マスク１００の着用者は、鼻腔拡張部３によって鼻腔が広げられ、マスク本体部１によって口及び鼻が覆われた状態でも鼻呼吸を容易に行うことが可能となり、口呼吸の比率を低減することができる。これにより、マスク本体部１から漏れ出る呼気の含有水分量を低減し、眼鏡やゴーグルの着用時でも、水分による曇りの発生を低減することが可能となる。
【００３３】
さらに、マスク１００は、平板状の弾性部材３１と、マスク本体部１を形成するシート材を介して弾性部材３１を着用者の鼻の鼻梁を挟んだ両側部分へ貼着する貼着部３２，３２を備えている。
このため、金属や樹脂等からなる弾性部材３１が、シート材を介してマスク着用者の鼻の表皮に張力を与えるので、弾性部材３１が直接接触する場合のような異物感を低減し、軟らかな感触で鼻腔拡張状態を維持することができる。従って、マスクの装着感をより良好なものとすることが可能となる。
また、貼着部３２，３２によりマスク本体部１の上縁部をマスク着用者に密着させることができるので、呼吸を容易に行いつつ異物の遮断性能を十分に確保することが可能である。
さらに、シート材を介して弾性部材３１を貼着するので、顔の筋肉の動きが拘束されず、不快感等の発生を十分に低減することが可能となった。
【００３４】
また、マスク１００では、マスク本体部１の上縁部に鼻腔拡張部３を設けているので、着用の際に、位置合わせを意識することなく貼着部３２，３２を鼻の両鼻翼の上方に導くことができ、着用を容易に行うことができる。
また、上記配置により、マスク着用時に鼻腔拡張部３を着用者の鼻の近傍に配置することができ、より効果的に鼻腔の拡張を行うことが可能となる。
【００３５】
また、上記鼻腔拡張部３は、貼着部３２，３２の貼着面を被覆する剥離紙３３，３３を有するので、各貼着部３２，３２の貼着面を塵芥や汚れから保護することができ、マスク１００を使用するまで、各貼着部３２，３２の粘着性を高く維持することが可能となる。
【００３６】
［第二の実施形態］
第二の実施形態として鼻腔拡張部３の弾性部材の他の例を示す。なお、この第二の実施形態以降で説明するマスク又は鼻腔拡張部については、全て、図１のマスクと異なる点について専ら説明するものとし、図１のマスクと同じ構成については説明を省略する。
【００３７】
前述した弾性部材３１は、短冊状としたがこれに限定されるものではなく、左右方向について鼻の左右の鼻翼程度の幅を有するものであれば良い。その場合、弾性部材は左右が対称形状であることが望ましい。
図５にその一例を示す。例えば、図５（Ａ）に示す弾性部材３１Ａのように、平面形状を波形としても良い。
また、図５（Ｂ）に示す弾性部材３１Ｂのように、平面形状を円形、より望ましくは長円形としても良い。
また、図５（Ｃ）に示す弾性部材３１Ｃのように、短冊状であって、その両端部が丸みを帯びた形状としても良い。また、短冊状ではない弾性部材の場合も両端部に丸みを形成しても良い。
【００３８】
［第三の実施形態］
第三の実施形態として鼻腔拡張部材の他の例を示す。図６は弾性部材３１の着用者側に柔軟性を有する軟性部材３４Ｄ，３４Ｄを有する鼻腔拡張部３Ｄを示している。
上記軟性部材３４Ｄとしては例えばシリコン樹脂が上げられるが、例えば、手で押して凹む程度の柔軟性を有する他の材料を利用しても良い。
【００３９】
各軟性部材３４Ｄ，３４Ｄは、各貼着部３２，３２とマスク本体部１との間に介挿されており、貼着部３２の平面全体に密着可能な大きさに形成されている。
なお、軟性部材３４Ｄは、弾性部材３１と貼着部３２との間であれば良いので、マスク本体部１と弾性部材３１との間に介挿しても良い。その場合には、軟性部材は一つでよく、弾性部材３１の平面全体に密着可能な大きさに形成される。
【００４０】
このように、軟性部材３４Ｄ，３４Ｄを鼻腔拡張部３Ｄに設けることにより、弾性部材３１による異物感をより低減し、さらに軟らかな感触で鼻腔拡張状態を維持することができ、マスクの装着感をより良好なものとすることが可能となる。
【００４１】
［第四の実施形態］
第四の実施形態としてマスクの他の例を示す。図７は鼻腔拡張部３Ｅに冷感作用を有する冷感剤を配置したマスクを図示している。
アレルギーの炎症反応による血管拡張を原因とする鼻づまりは、血管を収縮させることにより改善することが知られている。従って、マスクに冷感剤による冷感作用を持たせ、マスク着用者の鼻づまりを改善し、鼻呼吸を良好に行うことを可能としている。
冷感剤としては、単一成分で冷感作用を有するものと水分との反応により冷感作用を生じるものとがある。前者としては、メントール、サリチル酸、カンフル、ハッカ油等があり、後者としては、硝酸アンモニウム、尿素又はこれらの混合物などがある。
【００４２】
上記冷感剤としては、皮膚に刺激等の何らかの影響を与えるものもあるので、直接、皮膚に触れない配置とすることが望ましい。例えば、図７のように、弾性部材３１と同程度の大きさの冷感剤を含ませた冷感剤シート３５Ｅを弾性部材３１とマスク本体部１との間に介挿させても良い。
また、後述する図８の例と同様に、貼着部３２と同程度の大きさの冷感剤シート（符号３５Ｆ参照）を各貼着部３２，３２とマスク本体部１との間に介挿させても良いし、後述する図９の例と同様に、弾性部材３１の外側面に冷感剤シート（符号３５Ｇ参照）を配置しても良い。
その他、弾性部材３１と各貼着部３２，３２との間でマスク本体部１に冷感剤を含ませても良いし、弾性部材３１を多孔質材料から形成し、弾性部材３１に直接、冷感剤を含ませても良い。
【００４３】
上記冷感剤を配置したマスクの場合には、冷感剤により血管収縮が図られ、鼻づまりの改善と共に鼻腔拡張との相乗効果により、さらに良好な鼻呼吸を行うことが可能となり、眼鏡等の曇りの発生もさらに低減することが可能となる。
【００４４】
［第五の実施形態］
第五の実施形態としてマスクの他の例を示す。図８は鼻腔拡張部３Ｆに芳香剤を配置したマスクを図示している。
自律神経の乱れに起因する鼻づまりは、芳香剤の吸引によるリラックス効果により改善得られる場合がある。従って、マスクに芳香剤を含ませ、マスク着用者の鼻づまりを改善し、鼻呼吸を良好に行うこと効果が期待される。
芳香剤としては、アロマオイル（精油）が挙げられ、特に、ユーカリ、ラベンダー、マートル、ティートリーが効果的といわれている。
【００４５】
上記芳香剤としては、吸引を良好に行うため、また、周囲への影響を低減するためにマスク本体部１の内側に配置とすることが望ましい。例えば、図８のように、貼着部３２と同程度の大きさの芳香剤を含ませた芳香剤シート３５Ｆを各貼着部３２，３２とマスク本体部１との間に介挿させても良い。
また、吸引の効果は劣るが、前述した図７の例と同様に、弾性部材３１と同程度の大きさの芳香剤シート（符号３５Ｅ参照）を弾性部材３１とマスク本体部１との間に介挿させても良いし、後述する図９の例と同様に、弾性部材３１の外側面に芳香剤シート（符号３５Ｇ参照）を配置しても良い。
その他、弾性部材３１と各貼着部３２，３２との間でマスク本体部１に芳香剤を含ませても良いし、弾性部材３１を多孔質材料から形成し、弾性部材３１に直接、芳香剤を含ませても良い。
【００４６】
上記芳香剤を配置したマスクの場合には、芳香剤による鼻づまりの改善と共に鼻腔拡張との相乗効果により、さらに良好な鼻呼吸を行うことが可能となり、眼鏡等の曇りの発生もさらに低減することが可能となる。
なお、芳香剤シートは、前述した冷感剤シート又は後述する温感剤シートと共にマスクに設け、それぞれの効能によって鼻づまりを改善させても良い。
【００４７】
［第六の実施形態］
第六の実施形態としてマスクの他の例を示す。図９は鼻腔拡張部３Ｇに温感作用を有する温感剤を配置したマスクを図示している。
鼻づまりは、血管の拡張や自律神経の調整により改善することが知られている。従って、マスクに温感剤による温感作用を持たせ、マスク着用者の鼻づまりを改善し、鼻呼吸を良好に行うことを可能としている。
温感剤としては、単一成分で温感作用を有するものと水分との反応により温感作用を生じるものとがある。前者としては、カプサイシン、ノニル酸ワニリルアミド等があり、後者としては、鉄粉、酸化カルシウム等がある。
【００４８】
上記温感剤としては、皮膚に刺激等の何らかの影響を与えるものもあるので、直接、皮膚に触れない配置とすることが望ましい。例えば、図９のように、弾性部材３１と同程度の大きさの温感剤を含ませた温感剤シート３５Ｇを弾性部材３１の外側面に配置しても良い。
また、前述した図７の例と同様に、弾性部材３１と同程度の大きさの温感剤シート（符号３５Ｅ参照）を弾性部材３１とマスク本体部１との間に介挿させても良いし、前述した図８の例と同様に、貼着部３２と同程度の大きさの温感剤シート（符号３５Ｆ参照）を各貼着部３２，３２とマスク本体部１との間に介挿させても良い。
【００４９】
上記温感剤を配置したマスクの場合には、温感剤により血管拡張や自律神経の調整が図られ、鼻づまりの改善と共に鼻腔拡張との相乗効果により、さらに良好な鼻呼吸を行うことが可能となり、眼鏡等の曇りの発生もさらに低減することが可能となる。
【００５０】
［第七の実施形態］
第七の実施形態として弾性部材３１の配置を変更した鼻腔拡張部３Ｈを備えるマスクの例を示す。図１０は鼻腔拡張部３Ｈの断面図である。
弾性部材３１は、直接的に皮膚に触れると異物感があるので、マスク本体部１のシート材を介在させて弾性部材３１が直接的に皮膚に触れない配置とすることが望ましい。但し、これを実現する配置としては、弾性部材３１をマスク本体部１の外側面に配置する場合に限られず、内側面に配置することも可能である。
即ち、図１０のように、マスク本体部１の内側面（図示の後側の面）の上端部近傍に弾性部材３１を固着し、マスク本体部１を形成するシート材の上端部を、弾性部材３１を包むように下側に折り返し、折り返されたシート材の端部を弾性部材３１の下側でシート材の内側面に固着する。
さらに、折り返されたシート材の内側面において、弾性部材３１に対応する位置に貼着部３２，３２を設け、剥離紙３３，３３で被覆する。
このようにして形成された鼻腔拡張部３Ｈを備えるマスクの場合も、図１のマスクと同様に、弾性部材３１による異物感を低減し、軟らかな感触で鼻腔拡張状態を維持することができる。
【００５１】
［その他］
本発明は、上記各実施形態に限定されることなく、本発明の趣旨を逸脱しない範囲において、種々の改良並びに設計の変更を行っても良い。
例えば、各実施形態で示したマスクの形状や素材等は、一例であってこれに限られるものではなく、適宜任意に変更可能である。
加えて、今回開示された実施形態は、全ての点で例示であって制限的なものではないと考えられるべきである。本発明の範囲は、上記した説明ではなくて特許請求の範囲によって示され、特許請求の範囲と均等の意味及び範囲内での全ての変更が含まれることが意図される。
【００５２】
例えば、マスク本体部１は、着用者の顔面の鼻や口や顎を覆う場合を例示したが、顎までは覆わない大きさとしても良い。
また、マスク１００ではプリーツ型を例示したが、これに限られない。
また、マスク１００では、マスク本体部１と耳掛け部２とを別部材としたが、マスク本体部１と耳掛け部２とが耳を通す開口が形成された一枚のシートで連接されている構造としても良い。
【符号の説明】
【００５３】
１  マスク本体部
２  耳掛け部
３，３Ｄ，３Ｅ，３Ｆ，３Ｇ，３Ｈ  鼻腔拡張部
３１，３１Ａ，３１Ｂ，３１Ｃ  弾性部材
３２  貼着部
３３  剥離紙
３４Ｄ  軟性部材
３５Ｅ  冷感剤シート
３５Ｆ  芳香剤シート
３５Ｇ  温感剤シート
１００  マスク
【図１】
0006541386.tif 000002
【図２】
0006541386.tif 000003
【図３】
0006541386.tif 000004
【図４】
0006541386.tif 000005
【図５】
0006541386.tif 000006
【図６】
0006541386.tif 000007
【図７】
0006541386.tif 000008
【図８】
0006541386.tif 000009
【図９】
0006541386.tif 000010
【図１０】
0006541386.tif 000011